(57)【要約】【課題】普及している教育用の添削方法では、人手（採点者）により採点であり、かかる採点者の正確さや、丁寧さを自動評価することができなかった。【解決手段】コンピュータに、採点者を識別する採点者識別子と、当該採点者が電子ペンを用いて記載した情報に関する情報である記載情報を有するペン記載情報を電子ペンから受信するペン記載情報受信ステップと、ペン記載情報に対応する問題の情報である問題情報、またはペン記載情報に対応する答えの情報である正解情報に対応付けてペン記載情報の一部または全部を蓄積するペン記載情報蓄積ステップを実行させるためのプログラムであり、かかるプログラムにより、採点者が記載した情報が自動的に蓄積される。そして、蓄積した情報を処理・加工などすることにより、採点者の適切な評価等が可能になる。【選択図】図２
2006268860.tif 000002
【特許請求の範囲】
【請求項１】
採点者を識別する採点者識別子と、当該採点者が電子ペンを用いて記載した情報に関する情報である記載情報を有するペン記載情報を電子ペンから受信するペン記載情報受信部と、
前記ペン記載情報に対応する問題の情報である問題情報、または前記ペン記載情報に対応する答えの情報である正解情報、または受講生の回答の情報である回答情報に対応付けて前記ペン記載情報の一部または全部を蓄積するペン記載情報蓄積部を
具備する情報処理装置。
【請求項２】
正解情報と問題に対応する受講生の記載の情報である回答情報の組である正解回答情報を１組以上格納している正解回答情報格納部と、
前記１組以上の正解回答情報と前記記載情報に基づいて、採点者の採点の正誤または／および採点者の採点の正確度に関する情報である採点精度情報を取得する採点精度取得部と、
前記採点精度取得部が取得した採点精度情報を出力する採点精度情報出力部をさらに具備する請求項１記載の情報処理装置。
【請求項３】
前記採点精度取得部は、複数の採点者の採点精度情報を取得し、
前記採点精度情報出力部は、一定の条件に合致する採点者の採点精度情報のみを出力する請求項２記載の情報処理装置。
【請求項４】
採点者を識別する採点者識別子と、当該採点者が電子ペンを用いて記載した情報に関する情報である記載情報を有するペン記載情報を電子ペンから受信するペン記載情報受信部と、
前記記載情報に基づいて、前記採点者の報酬を算出する報酬算出部と、
前記報酬算出部が算出した報酬に関する情報を出力する報酬出力部を具備する情報処理装置。
【請求項５】
前記記載情報に基づいて、採点者の記載のデータ量を算出するデータ量算出部をさらに具備し、
前記報酬算出部は、前記データ量に基づいて、前記採点者の報酬を算出する請求項４記載の情報処理装置。
【請求項６】
正解情報と問題に対応する受講生の記載の情報である回答情報の組である正解回答情報を１組以上格納している正解回答情報格納部と、
前記１組以上の正解回答情報と前記記載情報に基づいて、採点者の採点の正誤または／および採点者の採点の正確度に関する情報である採点精度情報を取得する採点精度取得部をさらに具備し、
前記報酬算出部は、前記採点精度情報に基づいて前記採点者の報酬を算出する請求項４記載の情報処理装置。
【発明の詳細な説明】
【技術分野】
【０００１】
本発明は、電子ペンから情報を受信し、当該情報を処理する情報処理装置およびそのプログラム等に関する。
【背景技術】
【０００２】
従来、記載した情報を外部に送信できる電子ペンとしてアノト社の電子ペンがある（非特許文献１参照）。この電子ペンは、通常のペンに超小型カメラ、画像認識装置、それにＢｌｕｅｔｏｏｔｈ（Ｂｌｕｅｔｏｏｔｈは「テレフオンアクチーボラゲット  エル  エム  エリクソン」社の登録商標。）送受信装置を備え付けたもので、専用紙に書かれた手書きの内容を読み取り、解析し、パソコン、携帯電話、ファックス等の情報通信機器に即時送受信できるものである。
【０００３】
なお、ブルートゥース（Ｂｌｕｅｔｏｏｔｈ）とは、無線通信規格であり、伝送距離は送信電力が１ｍＷのときに約１０ｍと、省電力、短距離を意識した無線規格である。また、送信電力を上げることにより、現在のところ、最大で１００ｍまで伝送距離を伸ばすことがえきる。
【０００４】
また、現在、普及している教育用の添削方法は、採点者が赤色のペンで、生徒が書いた解答用紙に、丸付けをしたりコメントを記載したり、得点を記載したりするものである。
【非特許文献１】アノト日本株式会社ホームページ、インターネット<ＵＲＬ：ｈｔｔｐ：／／ｗｗｗ．ａｎｏｔｏ．ｊｐ／ｔｓｕｉｔｅ．ｈｔｍｌ>
【発明の開示】
【発明が解決しようとする課題】
【０００５】
しかし、非特許文献１による電子ペンの技術では、テストや添削などの採点者が記載した情報を受信して、処理をすることは考慮されていない。
【０００６】
また、普及している教育用の添削方法では、人手（採点者）により採点であり、かかる採点者の正確さや、丁寧さを自動評価することができなかった。したがって、不適切な採点者がいたり、採点者の能力に応じた適切な報酬が支払われなかったりした。さらに、例えば、添削サービスの提供会社などでは、不適切な採点者を検出するために、多大な労力を要していた。
【課題を解決するための手段】
【０００７】
そこで、第一の発明は、コンピュータに、採点者を識別する採点者識別子と、当該採点者が電子ペンを用いて記載した情報に関する情報である記載情報を有するペン記載情報を電子ペンから受信するペン記載情報受信ステップと、ペン記載情報に対応する問題の情報である問題情報、またはペン記載情報に対応する答えの情報である正解情報に対応付けてペン記載情報の一部または全部を蓄積するペン記載情報蓄積ステップを実行させるためのプログラムであり、かかるプログラムにより、採点者が記載した情報が自動的に蓄積される。そして、蓄積した情報を処理・加工などすることにより、採点者の適切な評価等が可能になる。
【０００８】
また、第二の発明は、コンピュータに、正解情報と問題に対応する受講生の記載の情報である回答情報の組である正解回答情報を１組以上格納しており、１組以上の正解回答情報と記載情報に基づいて、採点者の採点の正誤または／および採点者の採点の正確度に関する情報である採点精度情報を取得する採点精度取得ステップと、採点精度取得ステップで取得した採点精度情報を出力する採点精度情報出力ステップを実行させるためのプログラムであり、かかるプログラムにより、採点者の適切な評価が可能になる。
【０００９】
さらに、第三の発明は、コンピュータに、採点者を識別する採点者識別子と、当該採点者が電子ペンを用いて記載した情報に関する情報である記載情報を有するペン記載情報を電子ペンから受信するペン記載情報受信ステップと、記載情報に基づいて、採点者の報酬を算出する報酬算出ステップと、報酬算出部が算出した報酬に関する情報を出力する報酬出力ステップにより、採点者への公平な報酬の支払いが可能になる。
【発明の効果】
【００１０】
本発明によれば、採点者の適切な評価等が可能になる。
【発明を実施するための最良の形態】
【００１１】
以下に、本発明の実施の形態について、図面を用いて詳細に説明する。なお、本実施の形態において、同一の符号を用いた構成要素やフローチャートのステップなどは、同じ機能を果たすので、一度説明したものについて説明を省略する場合がある。
（実施の形態１）
【００１２】
図１は、本実施の形態における情報処理システムの概念図である。情報処理システムは、媒体１１、電子ペン１２、情報処理装置１３を具備する。媒体１１は、特殊ドットパターンが印刷されている媒体であり、例えば、紙でできている。ここで、電子ペンを使用しているのは、テストや添削などの採点者（または、添削者）である。また、媒体１１には、通常、問題と受講生の回答が記載されている。
【００１３】
図２は、本実施の形態における情報処理システムのブロック図である。電子ペン１２は、採点者識別子格納部１２０１、記載情報取得部１２０２、ペン記載情報構成部１２０３、ペン記載情報送信部１２０４を有する。
【００１４】
情報処理装置１３は、ペン記載情報受信部１３０１、ペン記載情報蓄積部１３０２、正解回答情報格納部１３０３、採点精度取得部１３０４、採点精度情報出力部１３０５を有する。
【００１５】
採点者識別子格納部１２０１は、採点者を識別する情報である採点者識別子を格納している。採点者識別子のデータ構造や内容は問わない。また、採点者識別子は、電子ペンを識別する情報でも良い。電子ペンを識別できれば、当該電子ペンの使用者である採点者も識別できるからである。つまり、採点者を識別できれば何でも良い。採点者識別子格納部１２０１は、不揮発性の記録媒体が好適であるが、揮発性の記録媒体でも実現可能である。
【００１６】
記載情報取得部１２０２は、電子ペン１２で記載した情報に関する情報である記載情報を取得する。記載情報は、例えば、媒体１１の中の相対的な位置を特定する情報である座標情報である。また、記載情報は、媒体１１の中の相対的な位置を特定する情報である座標情報の集合から文字認識し、当該文字認識した結果である文字コードの列でも良い。
【００１７】
記載情報取得部１２０２が座標情報である記載情報を取得する方法について説明する。座標情報を取得する方法として、例えば、以下の方法がある。媒体１１に図３に示す特殊ドットパターンが印刷されている場合に、記載情報取得部１２０２は、特殊ドットパターンによる座標検出技術で実現され得る。具体的には、例えば、図３のような構成になる。図３の構成は、ＣＣＤカメラ３０１、パターン認識と解析を行うプロセッサ３０２で構成される。特殊ドットパターンは、０．３ｍｍピッチのグリッドに沿ってドットを示し、そのドットの配置をＲｉｇｈｔ／Ｌｅｆｔ／Ｕｐ／Ｄｏｗｎの４パターンで振り分けることでコード化を図る。そして、ＣＣＤカメラより、特殊ドットパターンを６０フレーム／秒で撮影し、入力する。そして、撮影した画像情報を解析することにより、入力装置であるＣＣＤカメラの移動（すなわち撮影されるドットパターンの変化）を検出することができる。ＣＣＤカメラの移動を検出することにより、静的物体中の相対的な座標情報を取得できる。なお、記載情報取得部１２０２の別の手段として、以下のものが考えられる。媒体１１の表面に、座標情報を示すバーコードが印刷されており、記載情報取得部１２０２は、当該バーコードを読み込み、座標情報を得るバーコードリーダーで実現される。
【００１８】
ペン記載情報構成部１２０３は、採点者識別子格納部１２０１の採点者識別子と、記載情報取得部１２０２が取得した記載情報を有するペン記載情報を構成する。なお、ペン記載情報は、採点者識別子と記載情報だけであるとは限らない。ペン記載情報構成部１２０３は、通常、ＭＰＵやメモリ等から実現され得る。ペン記載情報構成部１２０３がペン情報を構成するための処理手順は、通常、ソフトウェアで実現され、当該ソフトウェアはＲＯＭ等の記録媒体に記録されている。但し、ハードウェア（専用回路）で実現しても良い。
【００１９】
ペン記載情報送信部１２０４は、ペン記載情報構成部１２０３が構成したペン記載情報を情報処理装置１３に送信する。ペン記載情報送信部１２０４は、無線または有線の通信手段で実現され得る。特に、無線通信手段で実現するのが好適である。但し、放送手段により実現しても良い。
【００２０】
ペン記載情報受信部１３０１は、採点者を識別する採点者識別子と、当該採点者が電子ペンを用いて記載した情報に関する情報である記載情報を有するペン記載情報を電子ペンから受信する。ペン記載情報受信部１３０１は、電子ペン１２から、間接的にペン記載情報を受信しても良い。間接的にペン記載情報を受信するとは、電子ペン１２と情報処理装置１３の間に、ペン記載情報を転送する通信装置等が存在する場合等である。ペン記載情報受信部１３０１は、無線または有線の通信手段で実現され得る。特に、無線通信手段で実現するのが好適である。但し、放送を受信する手段により実現しても良い。
【００２１】
ペン記載情報蓄積部１３０２は、ペン記載情報に対応する問題の情報である問題情報、またはペン記載情報に対応する答えの情報である正解情報、または受講生（テストや添削の受験者等）の回答の情報である回答情報に対応付けてペン記載情報の一部または全部を、図示しない記録媒体に蓄積する。なお、問題情報や正解情報や回答情報などは、予め格納されている、とする。また、回答情報もペン記載情報に対応する情報である。ここでの蓄積とは、一時的な蓄積でも良い。つまり、ペン記載情報蓄積部１３０２がペン記載情報の一部または全部を蓄積する記録媒体は、揮発性の記録媒体でも、不揮発性の記録媒体でも良い。ペン記載情報蓄積部１３０２は、通常、ＭＰＵやメモリ等から実現され得る。ペン記載情報蓄積部１３０２が情報を蓄積するための処理手順は、通常、ソフトウェアで実現され、当該ソフトウェアはＲＯＭ等の記録媒体に記録されている。但し、ハードウェア（専用回路）で実現しても良い。
【００２２】
正解回答情報格納部１３０３は、正解情報と問題に対応する受講生の記載の情報である回答情報の組である正解回答情報を１組以上格納している。正解回答情報のデータ構造は問わない。正解回答情報格納部１３０３は、不揮発性の記録媒体が好適であるが、揮発性の記録媒体でも実現可能である。
【００２３】
採点精度取得部１３０４は、正解回答情報格納部１３０３に格納されている１組以上の正解回答情報と、記載情報に基づいて、採点者の採点の正誤または／および採点者の採点の正確度に関する情報である採点精度情報を取得する。採点精度情報は、正誤（○または×等）や、正解率（例えば、９５％）等である。採点精度情報のデータ構造は問わない。採点精度取得部１３０４が、採点精度情報を取得する処理の具体例は、後述する。採点精度取得部１３０４は、通常、ＭＰＵやメモリ等から実現され得る。採点精度取得部１３０４が採点精度情報を取得するための処理手順は、通常、ソフトウェアで実現され、当該ソフトウェアはＲＯＭ等の記録媒体に記録されている。但し、ハードウェア（専用回路）で実現しても良い。
【００２４】
採点精度情報出力部１３０５は、採点精度取得部１３０４が取得した採点精度情報を出力する。出力とは、ディスプレイの表示、プリンタへの印字、音出力、外部の装置への送信等を含む概念である。採点精度情報出力部１３０５は、ディスプレイやスピーカー等の出力デバイスを含むと考えても含まないと考えても良い。採点精度情報出力部１３０５は、出力デバイスのドライバーソフトまたは、出力デバイスのドライバーソフトと出力デバイス等で実現され得る。
【００２５】
以下、本情報処理システムの動作について説明する。まず、電子ペン１２の動作について図４のフローチャートを用いて説明する。
【００２６】
（ステップＳ４０１）記載情報取得部１２０２は、映像を取得したか否かを判断する。映像とは、例えば、図１の電子ペン１２のカメラで取得した映像である。映像を取得すればステップＳ４０２に行き、映像を取得しなければステップＳ４０１に戻る。
【００２７】
（ステップＳ４０２）記載情報取得部１２０２は、ステップＳ４０１で取得した映像および／または先に取得した映像から記載情報（ここでは、記載情報は、紙１１上の座標情報である。）を構成する。
【００２８】
（ステップＳ４０３）ペン記載情報構成部１２０３は、採点者識別子格納部１２０１の採点者識別子を取得する。
【００２９】
（ステップＳ４０４）ペン記載情報構成部１２０３は、ステップＳ４０２で構成した記載情報と、ステップＳ４０３で取得した採点者識別子からペン記載情報を構成する。
【００３０】
（ステップＳ４０５）ペン記載情報送信部１２０４は、ステップＳ４０４で構成したペン記載情報を情報処理装置１３に送信する。なお、ペン記載情報送信部１２０４は、情報処理装置１３のＩＰアドレス等を保持している。ステップＳ４０１に戻る。
【００３１】
なお、図４のフローチャートにおいて、電源オフや処理の終了等の割り込みにより、処理を終了する。
【００３２】
また、図４のフローチャートにおいて、電子ペン１２で記載する情報は文字でも図形等でも良い。また、カメラで取得した映像から記載情報を構成する処理は、例えば、上述したアノト社の特殊な紙（専用紙）を用いれば可能であり公知技術であるので、詳細な説明は省略する。
【００３３】
さらに、図４のフローチャートにおいて、電子ペン１２は、記載情報を有するペン記載情報を情報処理装置１３に送信した。かかる場合、情報処理装置１３は、記載情報（座標情報）から文字や図形を認識する。しかし、電子ペン１２が座標情報から文字や図形を認識し、当該認識後の文字データ等を情報処理装置１３に送信しても良い。かかる場合、記載情報は、認識後の文字データ等である。なお、複数の座標情報から文字コードを決定する処理は、文字認識の既存技術であるので、詳細な説明は省略する。
【００３４】
次に、情報処理装置１３の動作について図５と図６のフローチャートを用いて説明する。まず、図５のフローチャートを用いて、情報処理装置１３が、受信したペン記載情報を蓄積する動作について説明する。
【００３５】
（ステップＳ５０１）ペン記載情報受信部１３０１は、ペン記載情報を受信したか否かを判断する。ペン記載情報を受信すればステップＳ５０２に行き、ペン記載情報を受信しなければステップＳ５０１に戻る。
【００３６】
（ステップＳ５０２）ペン記載情報蓄積部１３０２は、ステップＳ５０１で受信したペン記載情報が有する記載情報を取得する。
【００３７】
（ステップＳ５０３）ペン記載情報蓄積部１３０２は、ステップＳ５０２で取得した記載情報から、対応する問題情報または／および正解情報または／および回答情報を決定する。具体的には、例えば、以下の処理を行う。記載情報は、１以上の座標情報（紙１１上の位置座標（ｘ，ｙ））である。そして、ペン記載情報蓄積部１３０２は、１以上の座標情報から、採点者が記載した情報がどの回答に対する採点の情報であるか否かを判断する。座標情報に対応して、問題情報または／および正解情報または／および回答情報が蓄積されていれば、上記の判断は可能である。ペン記載情報蓄積部１３０２は、どの回答に対する採点の情報であるかを判断できれば、対応する問題情報または／および回答情報または／および正解情報を決定できる。
【００３８】
（ステップＳ５０４）ペン記載情報蓄積部１３０２は、ステップＳ５０３で決定した問題情報または／および正解情報または／および回答情報に対応付けて、ステップＳ５０１で受信したペン記載情報の一部または全部を蓄積する。処理を終了する。
【００３９】
なお、図５のフローチャートにおいて、記載情報は文字コード等であることが好適であるが、座標情報でも良い。記載情報が座標情報の場合は、情報処理装置１３は、別途、座標情報の集合から文字コード等を決定する。
【００４０】
次に、図６のフローチャートを用いて、情報処理装置１３が、添削者のペン記載情報が有する記載情報の確からしさ（正確度）を判断する処理について説明する。
【００４１】
（ステップＳ６０１）採点者の採点の正解率（採点精度情報）を出力する指示（出力指示）の入力を受け付けたか否かを判断する。なお、採点者の採点の正解率は、採点精度情報の一例である。また、出力指示は、採点者識別子を有する。出力指示の入力を受け付ければステップＳ６０２に行き、出力指示の入力を受け付けなければステップＳ６０１に戻る。
【００４２】
（ステップＳ６０２）採点精度取得部１３０４は、ステップＳ６０１で入力された出力指示が含む採点者識別子を取得する。
【００４３】
（ステップＳ６０３）変数の初期化を行う。具体的には、カウンタｉに１を代入する。また、変数「正解数」と「不正解数」を０にする。
【００４４】
（ステップＳ６０４）採点精度取得部１３０４は、ステップＳ６０２で取得した採点者識別子に対応する、ｉ番目の記載情報が存在するか否かを、ペン記載情報蓄積部１３０２が蓄積したペン記載情報の中から検索する。ｉ番目の記載情報が存在すればステップＳ６０５に行き、ｉ番目の記載情報が存在しなければステップＳ６１３に飛ぶ。
【００４５】
（ステップＳ６０５）採点精度取得部１３０４は、ステップＳ６０２で取得した採点者識別子に対応する、ｉ番目の記載情報を取得する。
【００４６】
（ステップＳ６０６）採点精度取得部１３０４は、正解回答情報格納部１３０３から、ｉ番目の記載情報に対応する正解情報を取得する。
【００４７】
（ステップＳ６０７）採点精度取得部１３０４は、正解回答情報格納部１３０３から、ｉ番目の記載情報に対応する回答情報を取得する。
【００４８】
（ステップＳ６０８）採点精度取得部１３０４は、ステップＳ６０５で取得した記載情報、ステップＳ６０６で取得した正解情報、およびステップＳ６０７で取得した回答情報に基づいて、採点者の採点の正誤を判定する。具体的には、正解情報と回答情報が一致するなどの一定の関係がある場合に、記載情報が「○」であれば、正解（採点が正しい）と判断する。一方、正解情報と回答情報が不一致などの場合に、記載情報が「○」であれば、不正解（採点が誤っている）と判断する。
【００４９】
（ステップＳ６０９）採点精度取得部１３０４は、ステップＳ６０８の判定が「正解」であるか否かを判断する。判定が「正解」であればステップＳ６１０に行き、判定が「正解」でなければステップＳ６１２に飛ぶ。
【００５０】
（ステップＳ６１０）採点精度取得部１３０４は、変数「正解数」を１インクリメントする。
【００５１】
（ステップＳ６１１）カウンタｉを１インクリメントする。ステップＳ６０４に戻る。
【００５２】
（ステップＳ６１２）採点精度取得部１３０４は、変数「不正解数」を１インクリメントする。
【００５３】
（ステップＳ６１３）採点精度取得部１３０４は、正解率を算出する。正解率は、「正解数＊１００／（正解数＋不正解数）（％）」により求められる。
【００５４】
（ステップＳ６１４）採点精度情報出力部１３０５は、ステップＳ６１３で算出した正解率を出力する。
【００５５】
以上の処理により、採点者の採点の精度が自動的に求められる。なお、図６のフローチャートにおいて、１つのテスト問題、または１つの添削問題等の正解情報や回答情報や記載情報のみが扱われている、とする。また、図６のフローチャートにおいて、複数の受講生の回答に対する採点の精度を求めるものであっても良いことは言うまでもない。また、図６のフローチャートにおいて、１問ごとの、採点者の採点の正誤を出力しても良い。
【００５６】
以下、本実施の形態における情報処理システムの具体的な動作について説明する。情報処理システムの概念図は図１である。
【００５７】
今、情報処理装置１３は、図７に示すテスト情報管理表を保持している。テスト情報管理表は、「ＩＤ」「問題情報」「正解情報」「回答情報」「記載情報」を有するレコードを１以上保持している表である。情報処理装置１３は、例えば、図７の「ＩＤ」「問題情報」「正解情報」を予め格納している。また、例えば、テストや添削の受講生は、電子ペンを用いて回答を行い、電子ペンから送信された記載情報に基づいて、情報処理装置１３が「回答情報」を構成し、記録した、とする。
【００５８】
「ＩＤ」は、レコードを識別する情報であり、表管理上の要請のために存在する。「問題情報」は、テストの問題の情報（ここでは、文字列情報）である。「正解情報」は、答えの情報であり、ここでは「○」または「×」である。また、「回答情報」は、テストの受講生が記載した情報であり、ここでは「○」または「×」である。また、現在、「記載情報」は、情報を有しない。図７は、採点前の状況であるからである。さらに、「記載情報」は、「結果情報」と「コメント」を有する。「結果情報」は、テストの採点者が記載したテストの結果（「○」または「×」）である。「コメント」は、テストの採点者が記載した、受講生に対するコメントを示す情報である。
【００５９】
以上の状態において、テストの採点者は、問題情報と、受講生が記載した回答情報が記載された紙１１（テスト用紙）を、電子ペン１２を用いて、採点する。採点の際に、採点者は、電子ペン１２でコメントを記載する。
【００６０】
そして、電子ペン１２は、採点者が記載した記載情報を、採点者識別子とともに、情報処理装置１３に送信する。電子ペン１２が情報処理装置１３に送信する記載情報と採点者識別子と組（ペン記載情報）の例を図８に示す。採点者識別子は、電子ペン１２が保持している情報である。また、記載情報は、電子ペン１２が取得した座標情報である。座標情報は、電子ペン１２が紙１１上を通過した位置を示す情報である。なお、電子ペン１２が座標情報を取得する方法は、上述したとおりである。また、情報処理装置１３は、電子ペン１２から受信した座標情報の集合から、電子ペン１２を使って記載された文字や図形を取得する処理を行う。
【００６１】
今、採点者が記載した「○」または「×」および「コメント」を構成する点（座標情報）が、電子ペン１２から情報処理装置１３に送信される。
【００６２】
情報処理装置１３は、座標情報の集合から、採点者が記載した「結果情報」および「コメント」を取得する。また、情報処理装置１３は、座標情報の集合から、「結果情報」および「コメント」が、どの問題情報、または回答情報、または正解情報に対応する「結果情報」等であるかを決定する。情報処理装置１３は、１以上の座標情報に基づいて、採点者が記載した「結果情報」および「コメント」が、どの問題に対する情報であるかを特定できる。
【００６３】
今、採点者は、図７の問題情報および回答情報に対して、図９に示すような採点を行った、とする。図９は、記載情報が記録されたテスト情報管理表である。
【００６４】
次に、情報処理装置１３は、採点者識別子「２３４５」で識別される採点者の採点の精度である採点精度情報を出力する指示を受け付けたとする。
【００６５】
次に、情報処理装置１３は、図９のテスト情報管理表のすべてのレコードの「正解情報」「回答情報」「結果情報」から、採点精度情報を出力する。具体的には、まず、第一レコードの正解情報「○」、回答情報「○」、結果情報「○」から、正解情報「○」、回答情報「○」が一致し、結果情報が「○」であるので、この採点は正しいと判定する。
【００６６】
次に、第二レコードの正解情報「×」、回答情報「○」、結果情報「○」から、この採点は間違っている、と判定する。正解情報「×」と回答情報「○」が一致しないにも関わらず、結果情報が「○」だからである。
【００６７】
次に、第３レコードから、最終の第１０レコードまで、上述の処理と同様の処理を行う。そして、情報処理装置１３は、１０問中、正しい採点は９問、誤った採点は１問である、と算出する。次に、情報処理装置１３は、採点精度情報「正しい採点の数／全体の採点数」により、採点精度情報を「９／１０」と算出し、当該採点精度情報をディスプレイに出力する（図１０参照）。
【００６８】
なお、上記の具体例において、一採点者が行った一人の受講生の答案の採点に関する採点精度情報を出力したが、一採点者が行った複数人の受講生の答案の採点に関する採点精度情報を出力しても良い。かかる場合の処理は、上記の処理を繰り返すだけの処理であるので、詳細について述べない。
【００６９】
また、上記の具体例において、複数人の採点者の採点精度情報を出力しても良い。かかる場合、例えば、テスト情報管理表には採点者識別子も記録される。そして、採点者識別子ごとに、採点精度情報を算出する。また、複数人の採点者の採点精度情報を算出する場合に、一定の条件に合致する採点者の採点精度情報のみを出力することは好適である。つまり、採点の精度が低い採点者に注意を促すために、例えば、９５％以下の採点の精度の採点者のみ、採点者識別子と採点精度情報を出力する、などしても良い。かかる場合、一定の条件（例えば「９５％以下」）は、予め情報処理装置１３が保持している。
【００７０】
さらに、採点精度情報とは、採点者の採点の正誤だけではなく、採点者の誤字や、文章の間違いなどを考慮して出力される情報も含む。例えば、採点者が記載したコメントに誤字が多く含まれる場合等に、小さい採点精度情報の値を算出しても良い。文章などから誤字や文法の間違いを検出する技術は、公知技術である。
【００７１】
以上、本実施の形態によれば、テストや添削などの採点者の情報が、受講生の回答や正解の情報と対に格納でき、処理できる。かかることにより、例えば、採点者の採点の精度や、コメントの量による採点者の親切さなどが判断できる。また、採点者の採点の精度を示す情報である採点精度情報を出力することにより、客観的な採点者の能力が判定できる。
【００７２】
なお、本実施の形態において、記載情報は、一の座標情報でも、２以上の座標情報でも、座標情報の集合から認識した文字コードなどでも良い。
【００７３】
また、本実施の形態によれば、受講生の回答は「○」または「×」であったが、漢字の筆記試験問題に対する回答や、文章入力による回答等でも良い。回答情報が文章の情報である場合には、例えば、キーワード抽出により、必要なキーワードが記載されているか否かを判断し、必要なキーワード（正解情報が有するキーワード）が回答情報に存在すれば、正解であると判断するなどしても良い。
【００７４】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における情報処理装置を実現するソフトウェアは、以下のようなプログラムである。つまり、このプログラムは、コンピュータに、採点者を識別する採点者識別子と、当該採点者が電子ペンを用いて記載した情報に関する情報である記載情報を有するペン記載情報を電子ペンから受信するペン記載情報受信ステップと、ペン記載情報に対応する問題の情報である問題情報、またはペン記載情報に対応する答えの情報である正解情報、または受講生の回答の情報である回答情報に対応付けてペン記載情報の一部または全部を蓄積するペン記載情報蓄積ステップを実行させるためのプログラム、である。
【００７５】
また、本実施の形態における情報処理装置を実現するソフトウェアは、以下のようなプログラムである。つまり、このプログラムは、正解情報と回答情報の組である正解回答情報を１組以上格納しており、１組以上の正解回答情報と記載情報に基づいて、採点者の採点の正誤または／および採点者の採点の正確度に関する情報である採点精度情報を取得する採点精度取得ステップと、採点精度取得ステップで取得した採点精度情報を出力する採点精度情報出力ステップをさらにコンピュータに実行させるためのプログラム、である。
（実施の形態２）
【００７６】
図１１は、本実施の形態における情報処理システムのブロック図である。情報処理システムは、電子ペン１２と情報処理装置１１３を有する。情報処理装置１１３は、ペン記載情報受信部１３０１、ペン記載情報蓄積部１３０２、正解回答情報格納部１３０３、採点精度取得部１３０４、採点精度情報出力部１３０５、データ量算出部１１３０１、報酬算出部１１３０２、報酬出力部１１３０３を有する。
【００７７】
データ量算出部１１３０１は、採点者の記載のデータ量を算出する。具体的には、データ量算出部１１３０１は、ペン記載情報受信部１３０１が受信したデータ（全部または、特定の一部のデータ）のデータサイズなどを取得する。但し、データ量とは、データサイズだけではなく、採点者の記載のストロークデータの量や、採点した問題数（回答数）などでも良い。ストロークデータの量とは、いわゆる画数であり、例えば、４画の漢字１文字のストロークデータの量は、「４」である。データ量算出部１１３０１は、通常、ＭＰＵやメモリ等から実現され得る。データ量算出部１１３０１がデータ量を算出するための処理手順は、通常、ソフトウェアで実現され、当該ソフトウェアはＲＯＭ等の記録媒体に記録されている。但し、ハードウェア（専用回路）で実現しても良い。
【００７８】
報酬算出部１１３０２は、記載情報に基づいて、採点者の報酬を算出する。具体的には、例えば、報酬算出部１１３０２は、データ量算出部１１３０１が算出したデータ量に基づいて、採点者の報酬を算出する。また、例えば、報酬算出部１１３０２は、採点精度取得部１３０４が取得した採点精度情報に基づいて採点者の報酬を算出する。その他、報酬算出部１１３０２は、記載情報に基づいて、採点者の報酬を算出すれば、その方法は問わない。報酬算出部１１３０２は、通常、ＭＰＵやメモリ等から実現され得る。報酬算出部１１３０２が採点者の報酬を算出するための処理手順は、通常、ソフトウェアで実現され、当該ソフトウェアはＲＯＭ等の記録媒体に記録されている。但し、ハードウェア（専用回路）で実現しても良い。
【００７９】
報酬出力部１１３０３は、報酬算出部１１３０２が算出した報酬に関する情報を出力する。出力とは、ディスプレイの表示、プリンタへの印字、音出力、外部の装置への送信等を含む概念である。報酬出力部１１３０３は、ディスプレイやスピーカー等の出力デバイスを含むと考えても含まないと考えても良い。報酬出力部１１３０３は、出力デバイスのドライバーソフトまたは、出力デバイスのドライバーソフトと出力デバイス等で実現され得る。
【００８０】
以下、本情報処理システムの動作について説明する。電子ペン１２の動作については説明済みであるので、ここでの説明は省略する。次に、情報処理装置１１３の動作について図１２のフローチャートを用いて説明する。図１２のフローチャートにおいて、情報処理装置１１３が、採点者のペン記載情報が有する記載情報の確からしさを判断し、かつ、採点者に対して支払う報酬を算出する処理について説明する。
【００８１】
（ステップＳ１２０１）採点者の採点の評価（正解率および報酬など）を出力する指示（出力指示）の入力を受け付けたか否かを判断する。なお、採点者の採点の正解率は、採点精度情報の一例である。また、出力指示は、採点者識別子を有する。出力指示の入力を受け付ければステップＳ１２０２に行き、出力指示の入力を受け付けなければステップＳ１２０１に戻る。
【００８２】
（ステップＳ１２０２）採点精度取得部１３０４は、ステップＳ１２０１で入力された出力指示が含む採点者識別子を取得する。
【００８３】
（ステップＳ１２０３）変数の初期化を行う。具体的には、カウンタｉに１を代入する。また、変数である「正解数」と「不正解数」に０を代入する。さらに、変数である「データ量」に０を代入する。
【００８４】
（ステップＳ１２０４）採点精度取得部１３０４は、ステップＳ１２０２で取得した採点者識別子に対応する、ｉ番目の記載情報が存在するか否かを、ペン記載情報蓄積部１３０２が蓄積したペン記載情報の中から検索する。ｉ番目の記載情報が存在すればステップＳ１２０５に行き、ｉ番目の記載情報が存在しなければステップＳ１２１３に飛ぶ。
【００８５】
（ステップＳ１２０５）採点精度取得部１３０４は、ステップＳ１２０２で取得した採点者識別子に対応する、ｉ番目の記載情報を取得する。
【００８６】
（ステップＳ１２０６）採点精度取得部１３０４は、正解回答情報格納部１３０３から、ｉ番目の記載情報に対応する正解情報を取得する。
【００８７】
（ステップＳ１２０７）採点精度取得部１３０４は、正解回答情報格納部１３０３から、ｉ番目の記載情報に対応する回答情報を取得する。
【００８８】
（ステップＳ１２０８）データ量算出部１１３０１は、ｉ番目の記載情報の全部、または予め決まられた一部のデータのデータサイズを算出する。なお、データのサイズを算出する方法は既存技術である。
【００８９】
（ステップＳ１２０９）データ量算出部１１３０１は、変数「データ量」に、ステップＳ１２０８で算出したデータサイズ（データ量）を加算する。
【００９０】
（ステップＳ１２１０）採点精度取得部１３０４は、ステップＳ１２０５で取得した記載情報、ステップＳ１２０６で取得した正解情報、およびステップＳ１２０７で取得した回答情報に基づいて、採点者の採点の正誤を判定する。具体的には、正解情報と回答情報が一致するなどの一定の関係がある場合に、記載情報が「○」であれば、正解と判断する。一方、正解情報と回答情報が不一致などの場合に、記載情報が「○」であれば、不正解と判断する。
【００９１】
（ステップＳ１２１１）採点精度取得部１３０４は、ステップＳ１２１０の判定が「正解」であるか否かを判断する。判定が「正解」であればステップＳ１２１２に行き、判定が「正解」でなければステップＳ１２１４に飛ぶ。
【００９２】
（ステップＳ１２１２）採点精度取得部１３０４は、変数「正解数」を１インクリメントする。
【００９３】
（ステップＳ１２１３）カウンタｉを１インクリメントする。ステップＳ１２０４に戻る。
【００９４】
（ステップＳ１２１４）採点精度取得部１３０４は、変数「不正解数」を１インクリメントする。
【００９５】
（ステップＳ１２１５）採点精度取得部１３０４は、正解率を算出する。正解率は、「正解数＊１００／（正解数＋不正解数）（％）」により求められる。
【００９６】
（ステップＳ１２１６）採点精度情報出力部１３０５は、ステップＳ１２１３で算出した正解率を出力する。
【００９７】
（ステップＳ１２１７）報酬算出部１１３０２は、変数「データ量」と、ステップＳ１２１５で算出した正解率に基づいて、報酬額を決定する。この報酬は、採点者に支払われる報酬です。通常、正解率が高いほど、データ量が大きいほど、報酬は高くなる。
【００９８】
（ステップＳ１２１８）報酬出力部１１３０３は、ステップＳ１２１７で決定した報酬額の情報を出力する。
【００９９】
以上の処理により、採点者の採点の精度が自動的に求められ、かつ採点者への報酬が決定される。なお、図１２のフローチャートにおいて、１つのテスト問題、または１つの添削問題等の正解情報や回答情報や記載情報のみが扱われている、とする。また、図１２のフローチャートにおいて、複数の受講生の回答に対する採点の情報について処理をしても良いことは言うまでもない。また、複数の採点者の採点の情報について処理をしても良い。かかる場合、上記の動作を繰り返せば良い。
【０１００】
以下、本実施の形態における情報処理システムの具体的な動作について説明する。情報処理システムの概念図は図１である。
【０１０１】
今、情報処理装置１１３は、図９に示すテスト情報管理表を保持している。図９のテスト情報管理表は、既に採点者が採点した際に記載した情報（記載情報）が記録されている。
【０１０２】
かかる場合、情報処理装置１１３は、図９に示すテスト情報管理表が有する記載情報（ここでは、座標情報の集合を認識して文字コードに変換したものを記載情報、という。）を記載した採点者の採点評価を出力する指示（出力指示）を受け付けたとする。なお、採点者は、電子ペン１２を用いて記載情報を記載した、とする。
【０１０３】
次に、情報処理装置１１３は、図９に示すテスト情報管理表を第一レコード（ＩＤ＝１のレコード）から順に処理する。具体的には、記載情報が有する結果情報が正しい採点であるか否かを判断する。なお、かかる処理は、実施の形態１において説明したので、ここでの処理は省略する。次に、記載情報が有するコメントのデータ量を取得する。第一レコードのコメントはＮＵＬＬであるので、変数「データ量」は、依然として「０」である。
【０１０４】
次に、第二レコード以降を処理していく。記載情報が有する結果情報が正しい採点であるか否かを判断する処理は実施の形態１において説明したので、ここでの処理は省略する。また、情報処理装置１１３は、各レコードが有するコメントのデータサイズを取得して、変数「データ量」に加算していく。
【０１０５】
その結果、変数「データ量」は「３８５」になっていた、とする。また、実施の形態１と同様に、採点者の正解率（採点精度情報）は「９／１０」である。
【０１０６】
次に、情報処理装置１１３は、「ｆ（採点精度情報，データ量）」に基づいて、採点者の報酬を決定する。ここでは、情報処理装置１１３は、「１０００×採点精度情報＋データ量」を採点者の報酬と決定する、とする。したがって、情報処理装置１１３は、報酬を「１２８５」と決定する。そして、情報処理装置１１３は報酬「１２８５」円をディスプレイに出力する。
【０１０７】
以上、本実施の形態によれば、テストや添削などの採点者が記載した情報により、採点者の報酬が決定されるので、正当な金額が採点者に支払われる。かかることにより、採点者は、正確で親切な採点を行おうと考える。その結果、本システムは教育に貢献できることとなる。親切な採点とは、コメントなどを十分に記載する採点である。
【０１０８】
なお、本実施の形態によれば、採点者の報酬は、採点精度情報とデータ量に基づいて決定されたが、どちらか一方の情報に基づいて採点者の報酬が決定されても良い。つまり、記載情報に基づいて、採点者の報酬を決定すれば良い。
【０１０９】
また、本実施の形態によれば、採点者に対する報酬を算出し、出力したが、報酬の代わりに採点者評価を決定し、出力しても良い。採点者評価とは、採点者の実力を示す指標であり、採点者のランクなどでも良い。採点者評価は、報酬と同様に、採点精度情報，データ量などをパラメータとして算出される。
【０１１０】
また、本実施の形態において、採点者の報酬決定や評価の際に、対応する問題に応じて重み付けをしても良い。つまり、情報処理装置は、採点が困難な問題に対する採点に対しては、易しい採点の場合よりも、多くの報酬になるように報酬を決定するなどの処理をしても良い。
【０１１１】
さらに、本実施の形態における情報処理装置を実現するソフトウェアは、以下のようなプログラムである。つまり、このプログラムは、コンピュータに、採点者を識別する採点者識別子と、当該採点者が電子ペンを用いて記載した情報に関する情報である記載情報を有するペン記載情報を電子ペンから受信するペン記載情報受信ステップと、記載情報に基づいて、採点者の報酬を算出する報酬算出ステップと、報酬算出ステップで算出した報酬に関する情報を出力する報酬出力ステップを実行させるためのプログラム、である。
【産業上の利用可能性】
【０１１２】
本発明によれば、採点者の適切な評価等が可能になる、という効果を有し、情報処理装置等として有用である。
【図面の簡単な説明】
【０１１３】
【図１】実施の形態１における情報処理システムの概念図
【図２】実施の形態１における情報処理システムのブロック図
【図３】実施の形態１における座標検出技術を説明する図
【図４】実施の形態１における電子ペンの動作について説明するフローチャート
【図５】実施の形態１における情報処理装置の動作について説明するフローチャート
【図６】実施の形態１における情報処理装置の動作について説明するフローチャート
【図７】実施の形態１におけるテスト情報管理表を示す図
【図８】実施の形態１におけるペン記載情報の例を示す図
【図９】実施の形態１におけるテスト情報管理表を示す図
【図１０】実施の形態１における採点精度情報の出力例を示す図
【図１１】実施の形態２における情報処理システムのブロック図
【図１２】実施の形態２における情報処理装置の動作について説明するフローチャート
【符号の説明】
【０１１４】
１１  媒体
１２  電子ペン
１３、１１３  情報処理装置
１２０１  採点者識別子格納部
１２０２  記載情報取得部
１２０３  ペン記載情報構成部
１２０４  ペン記載情報送信部
１３０１  ペン記載情報受信部
１３０２  ペン記載情報蓄積部
１３０３  正解回答情報格納部
１３０４  採点精度取得部
１３０５  採点精度情報出力部
１１３０１  データ量算出部
１１３０２  報酬算出部
１１３０３  報酬出力部
【図１】
2006268860.tif 000003
【図２】
2006268860.tif 000004
【図３】
2006268860.tif 000005
【図４】
2006268860.tif 000006
【図５】
2006268860.tif 000007
【図６】
2006268860.tif 000008
【図７】
2006268860.tif 000009
【図８】
2006268860.tif 000010
【図９】
2006268860.tif 000011
【図１０】
2006268860.tif 000012
【図１１】
2006268860.tif 000013
【図１２】
2006268860.tif 000014